(57)【要約】【課題】  掴み難い断面一様な長尺物を安全で迅速に吊り上げることができる吊り具を提供する。【解決手段】  本体プレートの一面に被吊支物を挿入できる空間を隔ててそれぞれの対向側に被吊支物の外周を押圧する固定爪と回転爪とを配するとともに、固定爪は被吊支物を押圧する押圧面を有し、回転爪は同じく押圧面を有して水平な支軸を中心に回転するものであり、支軸に対する押圧面側は下方に回転するほど被吊支物に対して食込み勝手に設定されていることを特徴とする吊り具。【選択図】  図１
2008222409.tif 000002
【特許請求の範囲】
【請求項１】
本体プレートの一面に被吊支物を挿入できる空間を隔ててそれぞれの対向側に被吊支物の外周を押圧する固定爪と回転爪とを配するとともに、固定爪は被吊支物を押圧する押圧面を有し、回転爪は同じく押圧面を有して水平な支軸を中心に回転するものであり、支軸に対する押圧面側は下方に回転するほど被吊支物に対して食込み勝手に設定されていることを特徴とする吊り具。
【請求項２】
本体プレートは空間部分で一面側に屈曲させられており、被吊支物はこの屈曲部分における本体プレートと固定爪及び回転爪のそれぞれの押圧面の三点で押圧される請求項１の吊り具。
【請求項３】
固定爪及び回転爪のそれぞれ押圧面には凹凸形状が付されている請求項１又は２の吊り具。
【請求項４】
固定爪及び回転爪にワイヤ等を係止できる被係止構造が施された請求項１〜３いずれかの吊り具。
【発明の詳細な説明】
【技術分野】
【０００１】
本発明は、地中に挿入したパイプ等の長尺物を吊り上げるに適した吊り具に関するものである。
【背景技術】
【０００２】
地中に挿入した支柱や杭といった長尺物は、レイアウトの変更や用済みになったときには引き抜かなければならない。これら長尺物が断面が一様な直筒形状をしているときには、適当な取っかかりもないことから、引抜きには難渋する。このため、例えば、下記特許文献１に示されるような専用の吊り具が提案されている。この吊り具は、被吊支物を挿入できるスリーブを設け、このスリーブに被吊支物が重量によって下方に滑ると食い込んでくさび作用を果たす食込み爪を設けたものである。
【０００３】
ところが、スリーブを吊り上げるためのアームがスリーブに対して回動することから、被吊支物を銜えてスリーブを吊り上げたとき、スリーブ（被吊支物）が揺動して安全性に欠けることがある。また、食込みの解除はアームを倒して食込み爪を下方に回動させなければならないから、確実性や迅速性に欠けるといった面もある。
【特許文献１】特開平６−２８６９７２号公報
【発明の開示】
【発明が解決しようとする課題】
【０００４】
本発明は、このようなことを排して安全で確実、かつ、簡単な構造の吊り具を具現したものである。
【課題を解決するための手段】
【０００５】
以上の課題の下、本発明は、請求項１に記載した、本体プレートの一面に被吊支物を挿入できる空間を隔ててそれぞれの対向側に被吊支物の外周を押圧する固定爪と回転爪とを配するとともに、固定爪は被吊支物を押圧する押圧面を有し、回転爪は同じく押圧面を有して水平な支軸を中心に回転するものであり、支軸に対する押圧面側は下方に回転するほど被吊支物に対して食込み勝手に設定されていることを特徴とする吊り具を提供する。
【０００６】
これにおいて、本発明は、請求項２に記載した、本体プレートは空間部分で一面側に屈曲させられており、被吊支物はこの屈曲部分における本体プレートと固定爪及び回転爪のそれぞれの押圧面の三点で押圧される構成、請求項３に記載した、固定爪及び回転爪のそれぞれ押圧面には凹凸形状が付されている構成、請求項４に記載した、固定爪及び回転爪にワイヤ等を係止できる被係止構造が施された構成を提供する。
【発明の効果】
【０００７】
請求項１の手段によると、この吊り具は本体プレート、固定爪及び回転爪といった簡単な要素で構成されるから、簡便で安価、しかも、取扱性に優れる。また、動く部分は回転爪のみであるから、構造が簡単で安全でもある。請求項２の手段によると、より確実安全に被吊支物を保持することができるし、請求項３の手段によると、保持が確実であるし、請求項４の手段によると、回転爪の動作が確実になる。
【発明を実施するための最良の形態】
【０００８】
以下、本発明の実施の形態を図面を参照して説明する。図１はこの吊り具の正面図、図２は側面図、図３は平面図、図４は回転爪部分の断面正面図であるが、この吊り具は、鉄板等を素材とする本体プレート１、固定爪２及び回転爪３等からなる。本体プレート１は、正面視左右に延びる平板体であり、本例では、中間部分で左側が１５°程度前方に屈曲している（屈曲線４は垂直）。本体プレート１の正面視左側の前面には、中間プレート５を挟んで固定爪２が固着されている。これにおいて、固定爪２の右端はパイプ等の被吊支物６を押圧する押圧面７に形成されており、滑り止めの凹凸形状８が付されている。
【０００９】
本体プレート１の正面視右側の前面には、固定爪２の対面側に屈曲線４を挟んで一定の空間９を隔てて回転爪３が取り付けられている。具体的には、本体プレート１の右端の前方に長円状のプレート１０を一定の間隔を隔てて上下二本のボルト１１で止め、この間に回転爪３を中間に設けられる水平な支軸１２を中心に回転可能に取り付けたものである。この回転爪３は、支軸１２の左側に位置するフック形状と右側に位置するハンマー形状とを有し、前者が押圧面側１３、後者が反押圧面側１４を形成している。そして、押圧面側１３の左端が被吊支物６を押圧する押圧面１５に形成されており、凹凸形状１６が形成されている。なお、フック形状の押圧面１５と支軸１２との距離Ｒは、フックの先端に行くほど大きく設定されている。
【００１０】
以上により、この吊り具で被吊支物６を吊り上げようとするときには、被吊支物６に対して本体プレート１の空間９を上から挿入する。この場合、回転爪３の反押圧面側１４の方を押圧面側１３よりもその重量を重く設定していると、この状態のときには、反押圧面側１４が最大限下がっており、空間９の幅は一杯に開いている。したがって、本体プレート１は容易に被吊支物６に挿入される。本体プレート１が所定長さ被吊支物６に挿入されたなら、固定爪２（本例では中間プレート１０）と回転爪３の反押圧面側１４を持ち上げる。
【００１１】
この操作を容易にするために、本例では、中間プレート１０と反押圧面側１４にワイヤ等１７を通すことができる孔等の被係止構造１８、１９を設けている。図５はこの吊り具で被吊支物６を吊り上げている状態を示す正面図であるが、被吊支物６の傍に支柱２０を立て、これにチェンブロック等の昇降機２１を取り付け、上記被係止構造１８、１９にワイヤ等１７通して昇降機２１で吊り上げる。すると、回転爪３は、反押圧面側１４が上がることで押圧面側１３が下方に回転し、その押圧面１５は被吊支物６に当たって強く食い込み、固定爪２の押圧面７と回転爪３の押圧面１５とで滑りのない摩擦力を発揮して上方に吊り上げる。
【００１２】
この食込みは、被吊支物６の重量（吊支抵抗）が大きいほど大きくなるから、くさび作用を発揮して被吊支物６を滑らせることなく吊り上げる。加えて、このときの固定爪２と回転爪３とによる挟圧力は、本体プレート１の屈曲によって被吊支物６を本体プレート１にも押し付け、都合、三点で押圧し、安定性と確実性が付与される。特に、被吊支物６を傾斜地等で吊り上げる際にはこの安定性は非常に重要な事項である。ところで、このときの回転爪３の押圧面１５と固定爪２の押圧面７との最小間隔は、対象とする被吊支物６の径よりも小さく設定されていることはいうまでもない。
【００１３】
吊上げが終了すると、被吊支物６を地面等に降ろせば、回転爪３等に掛かる荷重は軽減されるから、昇降機２１を下げて吊り具を降ろすことで回転爪４が逆方向に回転して被吊支物６を解放する。この場合、回転爪３が被吊支物６に強く食い込んで自力では戻らないようなときには、ハンマー等で回転爪３の押圧面側１４が叩けばよい。
【図面の簡単な説明】
【００１４】
【図１】本発明の吊り具の正面図である。
【図２】本発明の吊り具の側面図である。
【図３】本発明の吊り具の平面図である。
【図４】回転爪部分の断面正面図である。
【図５】吊り具で被吊支物を吊り上げている状態の正面図である。
【符号の説明】
【００１５】
１      本体プレート
２      固定爪
３      回転爪
４      屈曲線
５      中間プレート
６      被吊支物
７      固定爪の押圧面
８      凸凹形状
９      空間
１０    プレート
１１    ボルト
１２    支軸
１３    押圧面側
１４    反押圧面側
１５    回転爪の押圧面
１６    凹凸形状
１７    ワイヤ等
１８    被係止構造
１９    被係止構造
２０    支柱
２１    昇降機
【図１】
2008222409.tif 000003
【図２】
2008222409.tif 000004
【図３】
2008222409.tif 000005
【図４】
2008222409.tif 000006
【図５】
2008222409.tif 000007